(57)【特許請求の範囲】
【請求項１】
室内湿度を検出する湿度センサと、この湿度センサの検出値に基づいて湿度を表示する湿度表示部と、前記湿度センサにより検出された室内湿度と設定湿度とを比較する判定手段とを備え、前記設定湿度に応じて室内を加湿するとともに、前記設定湿度を超える室内湿度も前記湿度表示部により表示できるようにしたものにおいて、前記湿度表示部は、前記判定手段によって室内湿度の上昇により前記設定湿度と室内湿度との相対関係が所定の条件を満足すると判定された場合に、室内湿度を所定値だけ低くして湿度を表示することを特徴とする加湿機の湿度表示装置。
【請求項２】
室内湿度を検出する湿度センサと、この湿度センサの検出値に基づいて湿度を表示する湿度表示部と、室内湿度が予め設定した設定湿度よりも高いかどうかを判定する判定手段とを備え、前記湿度表示部は、前記判定手段によって設定湿度よりも室内湿度が高いと判定された場合、室内湿度を一定値だけ低くして湿度を表示することを特徴とする加湿機の湿度表示装置。
【請求項３】
前記湿度表示部は、前記判定手段によって設定湿度よりも室内湿度が高いと判定された場合、室内湿度を一定値だけ低くして湿度を表示する時間を、室内湿度が設定湿度を超過後から所定の時間内のみとすることを特徴とする請求項２に記載の加湿機の湿度表示装置。
【請求項４】
室内湿度を検出する湿度センサと、この湿度センサの検出値に基づいて湿度を表示する湿度表示部と、室内湿度が予め設定した設定湿度よりも高いかどうかを判定する判定手段とを備え、前記湿度表示部は、前記判定手段によって設定湿度よりも室内湿度が高いと判定された場合、室内湿度と設定湿度の差に応じた所定値だけ、室内湿度を低くして湿度を表示することを特徴とする加湿機の湿度表示装置。
【請求項５】
前記湿度表示部は、前記判定手段によって設定湿度よりも室内湿度が高いと判断され、室内湿度を一定値だけ低くして湿度を表示する場合、所定の時間毎に、段階的に表示を変化させ、前記室内湿度よりも一定値だけ低い目的表示湿度に近づけていくことを特徴とする請求項２に記載の加湿機の湿度表示装置。
【発明の詳細な説明】
【０００１】
【発明の属する技術分野】
この発明は、加湿機により加湿された室内の湿度を表示する加湿機の湿度表示装置に関するものである。
【０００２】
【従来の技術】
加湿機では、通常、湿度制御機能が備えられており、使用者もしくはマイクロコンピュータ（以下、マイコンという）が設定した湿度付近で室内湿度が推移することが望ましい。
しかし、部屋の大きさ，換気率等によっては湿度制御機能により加湿を停止しているにもかかわらず、室内湿度が設定湿度を超えてしまい、湿度表示も設定湿度を超えてしまう可能性がある。
このため、使用者に不信感を与えないように、次に示すような方策を行っていた。
【０００３】
従来の技術では、使用者もしくはマイコンが設定した設定湿度を、湿度センサにより測定した室内湿度が超えてしまった場合、湿度表示部には設定湿度までの湿度しか表示させていなかった。
【０００４】
図１は、従来の加湿機の湿度表示装置での電気的接続を示すブロック図である。
図中、１はマイコンであり、メモリ２，ＣＰＵ３，入力回路４，出力回路５を有しており、前記メモリ２に記憶されたプログラムにより加湿機の湿度表示装置の制御を行う。
６は湿度センサであり、室内湿度を測定し、測定結果をマイコン１の入力回路４に対して出力する。７は湿度表示部であり、湿度センサ６の測定値に基づいた信号を出力回路５から受け取り、室内湿度を表示する。
また、マイコン１のメモリ２には、設定湿度が記憶されており、ＣＰＵ３には設定湿度と、入力回路４から読込まれた室内湿度とを比較する判定手段が備えられている。
【０００５】
図１０は、従来の加湿機の湿度表示装置における湿度表示の動作工程のフローチャートである。
まず、ステップＳ１により湿度表示の動作行程が開始されると、ステップＳ２に移行する。ステップＳ２では、湿度センサ６で室内湿度の測定を行い、測定結果をマイコン１の入力回路４に対して出力する。
【０００６】
次に、ステップＳ３では、ステップＳ２で測定された室内湿度と、予めメモリ２に記憶された設定湿度をＣＰＵ３（判定手段）で比較する。この比較結果が室内湿度≦設定湿度の場合にはステップＳ４に移行する。ステップＳ４では、ステップＳ２で測定された室内湿度を、出力回路５を介した湿度表示部７より出力する。
【０００７】
これに対して、室内湿度＞設定湿度の場合にはステップＳ５に移行し、設定湿度を出力回路５を介した湿度表示部７より出力する。
これによって、湿度表示部７は設定湿度以下の湿度のみ表示することになり、仮に室内湿度が設定湿度を上回ったとしても、設定湿度を超過した湿度は表示されないこととなる。
【０００８】
【発明が解決しようとする課題】
しかしながら、従来の加湿機の湿度表示装置においては、湿度表示中に、降雨、もしくは何らかの原因で室内湿度が実際に上昇しても、湿度表示は設定湿度よりも上昇しない。
このため、設定湿度が低い場合等に室内湿度が高くなると、実際の湿度と表示の差が大きく開いてしまうという問題点があった。
また、設定湿度よりも室内湿度が上がっていることを使用者が明らかに実感していても、湿度表示は設定湿度よりも上昇しないため、使用者に湿度表示が上がらないという不信感を与えてしまう問題点があった。
【０００９】
この発明は、上記問題点を解消するためになされたもので、室内湿度が設定湿度を超えてしまった場合でも設定湿度以上の湿度を表示し、なおかつ、低めに湿度を表示することにより設定湿度との差を少なくし、使用者に不信感を与えない加湿機の湿度表示装置を提供することを目的としている。
【００１０】
【課題を解決するための手段】
第１の発明に係る加湿機の湿度表示装置では、室内湿度を検出する湿度センサと、この湿度センサの検出値に基づいて湿度を表示する湿度表示部と、前記湿度センサにより検出された室内湿度と設定湿度とを比較する判定手段とを備え、前記設定湿度に応じて室内を加湿するとともに、前記設定湿度を超える室内湿度も前記湿度表示部により表示できるようにしたものにおいて、前記湿度表示部は、前記判定手段によって室内湿度の上昇により前記設定湿度と室内湿度との相対関係が所定の条件を満足すると判定された場合に、室内湿度を所定値だけ低くして湿度を表示するものである。
【００１１】
第２の発明に係る加湿機の湿度表示装置では、室内湿度を検出する湿度センサと、この湿度センサの検出値に基づいて湿度を表示する湿度表示部と、室内湿度が予め設定した設定湿度よりも高いかどうかを判定する判定手段とを備え、前記湿度表示部は、前記判定手段によって設定湿度よりも室内湿度が高いと判定された場合、室内湿度を一定値だけ低くして湿度を表示するものである。
【００１２】
第３の発明に係る加湿機の湿度表示装置では、前記湿度表示部は、前記判定手段によって設定湿度よりも室内湿度が高いと判定された場合、室内湿度を一定値だけ低くして湿度を表示する時間を、室内湿度が設定湿度を超過後から所定の時間内のみとするものである。
【００１３】
第４の発明に係る加湿機の湿度表示装置では、前記湿度表示部は、前記判定手段によって設定湿度よりも室内湿度が高いと判定された場合、室内湿度と設定湿度の差に応じた所定値だけ、室内湿度を低くして湿度を表示するものである。
【００１４】
第５の発明に係る加湿機の湿度表示装置では、前記湿度表示部は、前記判定手段によって設定湿度よりも室内湿度が高いと判断され、室内湿度を一定値だけ低くして湿度を表示する場合、所定の時間毎に、段階的に表示を変化させ、前記室内湿度よりも一定値だけ低い目的表示湿度に近づけていくようにしたものである。
【００１５】
【発明の実施の形態】
実施の形態１．
以下、この発明の実施の形態を図面に基づいて説明する。
図１は、この発明による実施の形態１における加湿機の湿度表示装置の構成を示すブロック図である。
この発明における実施の形態１における加湿機の湿度表示装置の構成は、前記メモリ２に記憶されたプログラム内容を除き、図１で示した従来例と同様であり、そのハードウエア構成については説明を省略する。
【００１６】
図２は、実施の形態１における加湿機の湿度表示装置の動作行程を示すフローチャートである。
また、図３はその実施形態を示す動作図であり、表示湿度，室内湿度および設定湿度の動きを示している。
【００１７】
加湿機の運転状態では、図１に示す構成において、マイコン１の制御により加湿機能部（図示せず）によって室内への加湿動作が行われるとともに、マイコン１において湿度センサ６の検出信号を受ける入力回路４，入力回路４の出力を受けるＣＰＵ３，メモリ２，およびＣＰＵ３による制御信号を受け湿度表示部７を制御する出力回路５によって湿度表示部７での表示制御が行われる。
【００１８】
図２において、ステップＳ１により湿度表示の動作行程が開始されると、ステップＳ２に移行する。ステップＳ２では、湿度センサ６で室内湿度の測定を行い、測定結果をマイコン１の入力回路４に対して出力する。
【００１９】
次に、ステップＳ３では、ステップＳ２で測定された室内湿度と、予めメモリ２に記憶された設定湿度をＣＰＵ３（判定手段）で比較する。この比較結果が室内湿度≦設定湿度のように所定条件を満足している場合にはステップＳ４に移行する。
ステップＳ４では、ステップＳ２で測定された室内湿度を、出力回路５を介した湿度表示部７から出力し表示する（図３上のＴ０−Ｔ１間，Ｔ２−Ｔ３間に相当）。
【００２０】
これに対して、室内湿度＞設定湿度の場合にはステップＳ５に移行し、（室内湿度−α％）を出力回路５を介した湿度表示部７から出力する（図３上のＴ１−Ｔ２間に相当）。
このように、湿度表示部７は、室内湿度が設定湿度に達していない場合には室内湿度をそのまま表示し、逆に室内湿度が設定湿度を上回っている場合には室内湿度に対してα％分、低めに表示することとなる。
【００２１】
これにより、室内湿度が設定湿度より上昇した場合でも、設定湿度以上の湿度を表示することができ、使用者にも室内湿度が上昇していることを知らせることができる。
なおかつ、室内湿度＞設定湿度の場合には低めに湿度を表示させるため、湿度表示と設定湿度との差を少なくすることができる。
【００２２】
実施の形態２．
上記実施の形態１では、ステップＳ５で室内湿度に対してα％分低めに表示する時間について特に制限していないが、これを室内湿度が設定湿度を超過後から所定の時間内のみとしても良い。
【００２３】
図４は、実施の形態２の加湿機の湿度表示装置の動作行程を示すフローチャートである。
また、図５はその実施形態を示す動作図であり、表示湿度，室内湿度および設定湿度の動きを示している。
装置の構成および同一のステップについては、実施の形態１と同様であるため、説明を省略する。
【００２４】
図４において、ステップＳ３により室内湿度＞設定湿度の場合には、ステップＳ３ａに移行する。
ステップＳ３ａでは室内湿度が設定湿度を超過後から所定時間Ｔが経過したかどうかを判定する。
所定時間Ｔが経過していない場合にはステップＳ５へ移行し、（室内湿度−α％）を出力回路５を介した湿度表示部７より出力する（図５上のＴ１ａ−Ｔ２ａ間に相当）。
逆に、所定時間Ｔが経過している場合にはステップＳ４に移行し、ステップＳ２で測定された室内湿度を、出力回路５を介した湿度表示部７より出力する（図５上のＴ２ａ−Ｔ３ａ間に相当）。
【００２５】
つまり、室内湿度をα％分低めに表示するのは、室内湿度＞設定湿度を判定後から所定時間Ｔが経過するまでの間のみとすることができる。
これにより、加湿機の影響で室内湿度が設定湿度を超えている時間を限定して、室内湿度を低めに表示することができ、それ以外は正確な室内湿度を表示することができる。
【００２６】
実施の形態３．
上記実施の形態１では、ステップＳ５で室内湿度に対して一定値（α％）分低めに表示するとしているが、この低めに表示する値を室内湿度と設定湿度の差に応じて変化させても良い。
【００２７】
図６は、実施の形態３の加湿機の湿度表示装置の動作行程を示すフローチャートである。
また、図７はその実施形態を示す動作図であり、表示湿度，室内湿度および設定湿度の動きを示している。
装置の構成、および、同一のステップについては、実施の形態１と同様であるため、説明を省略する。
【００２８】
ステップＳ３により室内湿度＞設定湿度を判定した場合はステップＳ３ｂに移行する。ステップＳ３ｂでは、室内湿度と設定湿度の差を判定し、例えば差が、Ｘ％以下の場合はステップＳ５ａへ、それ以外の場合にはステップＳ５ｂへ移行する。
ステップＳ５ａでは室内湿度に対してβ％分低めに表示するが（図７上のＴ１ｂ−Ｔ２ｂ，Ｔ３ｂ−Ｔ４ｂ間に相当）、ステップＳ５ｂでは室内湿度に対してγ％分低めに表示する（図７上のＴ２ｂ−Ｔ３ｂ間に相当）。
【００２９】
つまり、室内湿度＞設定湿度を判定した場合、その室内湿度と設定湿度の差に応じた所定値だけ低めに室内湿度を表示することができる。
これにより、湿度表示をより設定湿度に近づけることができ、設定湿度と湿度表示の差が大きいというような不信感を使用者に与えることが無くなる。
【００３０】
実施の形態４．
上記実施の形態１では、ステップＳ５で室内湿度に対して一定値（α％）分低めに表示するとしているが、これを瞬時に変化させず、所定の時間毎に、段階的に表示を変化させても良い。
【００３１】
図８は、実施の形態４の加湿機の湿度表示装置の動作行程を示すフローチャートである。
また、図９はその実施形態を示す動作図であり、表示湿度，室内湿度および設定湿度の動きを示している。
装置の構成および同一のステップについては実施の形態１と同様であるため、説明を省略する。
【００３２】
ステップＳ３により室内湿度＞設定湿度を判定した場合はステップＳ３ｃに移行する。
ステップＳ３ｃでは、目的表示湿度である（室内湿度−α％）表示が完了しているかどうか判定し、完了している場合にはステップＳ５へ移行して、そのまま目的表示湿度（室内湿度−α％）を出力回路５を介した湿度表示部７から出力し表示する（図９上のＴ２ｃ−Ｔ３ｃ間に相当）。
逆に、目的表示湿度（室内湿度−α％）表示が完了していない場合にはステップＳ５ｃへ移行し、現在表示している湿度から１％低くした湿度を表示する（図９上のＴ１ｃ−Ｔ２ｃ間に相当）。
このステップＳ５ｃを所定の時間毎に繰返すことにより、目的表示湿度（室内湿度−α％）へ向けて、１％ずつ段階的に表示を変化させ、湿度表示部７での表示を目的表示湿度（室内湿度−α％）へ漸次近づけることができる。
【００３３】
また、室内湿度が下がり、ステップＳ３で室内湿度≦設定湿度を判定した場合はステップＳ３ｄに移行する。
ステップＳ３ｄではステップＳ２で測定した室内湿度を減算せずに表示しているかどうかを判定し、減算せずに表示している時はステップＳ４へ移行して、そのまま室内湿度を出力回路５を介した湿度表示部７から出力する（図９上のＴ４ｃ−Ｔ５ｃ間に相当）。
逆に、室内湿度を減算して表示している場合にはステップＳ４ｃへ移行し、現在表示している湿度から１％高くした湿度を表示する（図９上のＴ３ｃ−Ｔ４ｃ間に相当）。
このステップＳ５ｃを所定の時間毎に繰返すことにより、室内湿度へ向けて、１％ずつ段階的に表示を変化させることができる。
【００３４】
これにより、急激な表示の変化を無くすことができ、突然湿度が大きく変わった等の不信感を使用者に与えることが無くなる。
【００３５】
なお、以上の実施の形態１ないし実施の形態４では、ＣＰＵ（判定手段）３によって設定湿度よりも室内湿度が高いと判定された場合に、室内湿度表示を一定値だけ低くする等の湿度表示制御を行なうものについて説明したが、設定湿度よりも少し高いか設定湿度よりも僅かに低い表示切換湿度を設定し、この表示切換湿度よりも室内湿度が高いとＣＰＵ（判定手段）３によって判定された場合に、前記設定湿度と室内温度との相対関係が所定条件を満足したとして、実施の形態１ないし実施の形態４におけるようなステップＳ３以降の制御等の湿度表示制御を行なうようにしてもよい。
すなわち、湿度表示部７で、ＣＰＵ（判定手段）３によって室内湿度の上昇により設定湿度と室内湿度との相対関係が所定の条件を満足すると判定された場合に、室内湿度を所定値だけ低くして湿度を表示するような湿度表示制御を行なうことができる。
【００３６】
【発明の効果】
第１の発明によれば、降雨などの加湿機の加湿機能以外の要因により室内湿度が上昇した場合でも、湿度を的確に表示することができるとともに、この場合には、低めに湿度を表示させるため、設定湿度と湿度表示の差を少なくすることができ、使用者に不信感を与えることのない装置を提供することができる。
【００３７】
第２の発明によれば、降雨などにより室内湿度が設定湿度より上昇した場合でも、設定湿度以上の湿度を表示することができ、また、使用者にも室内湿度が上昇していることを知らせることができる。なおかつ、室内湿度が設定湿度よりも高い場合には低めに湿度を表示させるため、設定湿度と湿度表示の差を少なくすることができ、使用者に不信感を与えることのない装置を提供することができる。
【００３８】
第３の発明によれば、室内湿度が設定湿度よりも高い場合に、室内湿度を低めに表示する時間を所定の時間内のみとすることで、加湿機の影響により室内湿度が設定湿度を超えている時間を限定して、室内湿度を低めに表示する装置を提供することができ、それ以外は正確な室内湿度を表示することができる。
【００３９】
第４の発明によれば、室内湿度が設定湿度よりも高い場合に、室内湿度と設定湿度の差に応じて低めに表示する値を変化させることで、湿度表示をより設定湿度に近づけることができ、設定湿度と湿度表示の差が大きいというような不信感を使用者に与えることの無い装置を提供することができる。
【００４０】
第５の発明によれば、室内湿度が設定湿度よりも高い場合に、湿度表示を所定の時間毎に、段階的に低めに変化させることにより、急激な表示の変化を無くすことができる。これにより、突然湿度が大きく変わった等の不信感を使用者に与えることの無い装置を提供することができる。
【図面の簡単な説明】
【図１】  この発明による実施の形態および従来技術における加湿機の湿度表示装置の構成図である。
【図２】  この発明による、実施の形態１における加湿機の湿度表示装置の動作行程を示すフローチャート図である。
【図３】  この発明による、実施の形態１における加湿機の湿度表示装置の動作行程を示す動作図である。
【図４】  この発明による、実施の形態２における加湿機の湿度表示装置の動作行程を示すフローチャート図である。
【図５】  この発明による、実施の形態２における加湿機の湿度表示装置の動作行程を示す動作図である。
【図６】  この発明による、実施の形態３における加湿機の湿度表示装置の動作行程を示すフローチャート図である。
【図７】  この発明による、実施の形態３における加湿機の湿度表示装置の動作行程を示す動作図である。
【図８】  この発明による、実施の形態４における加湿機の湿度表示装置の動作行程を示すフローチャート図である。
【図９】  この発明による、実施の形態４における加湿機の湿度表示装置の動作行程を示す動作図である。
【図１０】  従来技術における加湿機の湿度表示装置の動作行程を示すフローチャート図である。
【符号の説明】
１  マイクロコンピュータ、２  メモリ、３  ＣＰＵ（判定手段）、４  入力回路、５  出力回路、６  湿度センサ、７  湿度表示部。
【図１】
0003697115.tif 000002
【図２】
0003697115.tif 000003
【図３】
0003697115.tif 000004
【図４】
0003697115.tif 000005
【図５】
0003697115.tif 000006
【図６】
0003697115.tif 000007
【図７】
0003697115.tif 000008
【図８】
0003697115.tif 000009
【図９】
0003697115.tif 000010
【図１０】
0003697115.tif 000011